(57)【特許請求の範囲】
【請求項１】
ＪＩＳ−Ｋ６４００−２に準拠して測定した７５％圧縮時の最大荷重が７０ｋｇｆ以上１００ｋｇｆ未満である第１ダブルラッセル経編物からなる第１層と、
ＪＩＳ−Ｋ６４００−２に準拠して測定した７５％圧縮時の最大荷重が１００ｋｇｆ以上１５０ｋｇｆ未満である第２ダブルラッセル経編物からなる第２層と、
ＪＩＳ−Ｋ６４００−２に準拠して測定した７５％圧縮時の最大荷重が１３０ｋｇｆ以上１８０ｋｇｆ以下である三次元ランダムループ構造体からなる第３層と、
を備え、
前記第１層、前記第２層及び前記第３層がこの順序で積層されている寝具用マットレス。
【請求項２】
前記第１ダブルラッセル経編物が、平面状の第１上基布と、平面状の第１下基布と、前記第１上基布及び前記第１下基布を連結する第１立毛部と、を備え、
前記第２ダブルラッセル経編物が、平面状の第２上基布と、平面状の第２下基布と、前記第２上基布及び前記第２下基布を連結する第２立毛部と、を備え、
前記第１上基布及び前記第１下基布の繊維の繊度が１１０〜３３０ｄｔｅｘであり、
前記第１立毛部の繊維の繊度が２２０〜４４０ｄｔｅｘであり、
前記第２上基布及び前記第２下基布の繊維の繊度が２２０〜４４０ｄｔｅｘであり、
前記第２立毛部の繊維の繊度が７７０〜１３００ｄｔｅｘである請求項１記載の寝具用マットレス。
【請求項３】
前記第１層の厚みが１．０〜３．０ｃｍであり、
前記第２層の厚みが１．０〜３．０ｃｍであり、
前記第３層の厚みが３．０〜２０．０ｃｍである請求項１又は２に記載の寝具用マットレス。
【請求項４】
前記第１ダブルラッセル経編物の密度が０．０９〜０．１６ｇ／ｃｍ３であり、
前記第２ダブルラッセル経編物の密度が０．０４〜０．０８ｇ／ｃｍ３であり、
前記三次元ランダムループ構造体の密度が０．０４〜０．０６ｇ／ｃｍ３である請求項１〜３のいずれか１項に記載の寝具用マットレス。
【請求項５】
前記第１ダブルラッセル経編物、前記第２ダブルラッセル経編物及び前記三次元ランダムループ構造体がいずれもポリエステルからなる請求項１〜４のいずれか１項に記載の寝具用マットレス。
【請求項６】
前記第１層及び前記第２層、並びに、前記第２層及び前記第３層が、それぞれ接着剤で接着されている請求項１〜５のいずれか１項に記載の寝具用マットレス。
【請求項７】
前記第１層及び前記第２層、並びに、前記第２層及び前記第３層の周縁が、それぞれ縫着されている請求項１〜６のいずれか１項に記載の寝具用マットレス。
【請求項８】
前記第１層、前記第２層及び前記第３層を拘束するための簡易カバーを更に備える請求項１〜７のいずれか１項に記載の寝具用マットレス。
【請求項９】
撥水加工及び／又は抗菌加工が施されている請求項１〜８のいずれか１項に記載の寝具用マットレス。
【発明の詳細な説明】
【技術分野】
【０００１】
本発明は、寝具用マットレスに関し、更に詳しくは、寝心地が良いことに加え、きしみ音を抑制し、高反発性とすることで寝返りを妨げず、また、床ずれを抑制できる寝具用マットレスに関する。
【背景技術】
【０００２】
寝具用の寝具用マットレスは、一般に、ベッドフレームの上に載せて用いられる。
かかる寝具用マットレスとしては、中材に天然ラテックス、合成ラテックス、低反発ウレタン等のウレタンのみを使用しているウレタンフォームマットレスや硬鋼線と呼ばれる線状の鋼を用いたスプリングマットレス等が広く知られている。
【０００３】
近年、高齢化社会が進み、介護者が増加している昨今、寝たきりの患者に対し、床ずれや腰痛の予防に対応できる快適な寝具用マットレスが求められている。
ところが、上述したようなウレタンフォームマットレスは総じて、低反発性であるため、寝返りがし難く、その結果、人体に床ずれが生じやすいという欠点がある。
一方、上述したスプリングマットレスは、硬いため寝心地が悪いという欠点があり、さらには、長年使用すると、破損によりスプリングの先端がマットレス表面に露出して、極端には使用者が怪我をするという問題もある。
【０００４】
また他方では、寝具用マットレスの新素材として、線条ランダムル−プからなる三次元立体構造網状体をクッション材として用いた寝具用マットレスが開発されている（例えば、特許文献１参照）。
【先行技術文献】
【特許文献】
【０００５】
【特許文献１】特開２００１−７０１０１号公報
【発明の概要】
【発明が解決しようとする課題】
【０００６】
しかしながら、上記特許文献１記載の寝具用マットレスは、高反発性であるものの、表面が硬いので寝心地が悪いという欠点がある。
仮に、上記特許文献１記載の寝具用マットレスの上面に、敢えて薄めの敷き布団を敷いたとしても、横たわった人間が敷き布団の分だけ沈みこむだけで、必ずしも寝心地が良いとはいえない。
また、上記特許文献１記載の寝具用マットレスは、硬いので、横たわった人間が動くと、きしみ音が発生するという問題もある。
【０００７】
本発明は、上記事情に鑑みてなされたものであり、寝心地が良いことに加え、きしみ音を抑制し、高反発性とすることで寝返りを妨げず、また、床ずれを抑制できる寝具用マットレスを提供することを目的とする。
【課題を解決するための手段】
【０００８】
本発明者等は、上記課題を解決するため、ダブルラッセル経編物を用い、マットレスの上面に横たわった人間の重量を横方向に逃がすことを考えた。そして、寝心地の良さと寝返りのし易さを両立させ、且つきしみ音を抑制するため、鋭意工夫と実験を行った結果、上部に最大荷重が小さい、柔らかい第１ダブルラッセル経編物からなる第１層を配置し、中間に第１ダブルラッセル経編物よりも最大荷重が大きい、硬い第２ダブルラッセル経編物からなる第２層を配置し、下部に最大荷重が大きい三次元ランダムループ構造体を配置することにより、上記課題を解決できることを見出し、本発明を完成させるに至った。
【０００９】
本発明は、（１）ＪＩＳ−Ｋ６４００−２に準拠して測定した７５％圧縮時の最大荷重が７０ｋｇｆ以上１００ｋｇｆ未満である第１ダブルラッセル経編物からなる第１層と、ＪＩＳ−Ｋ６４００−２に準拠して測定した７５％圧縮時の最大荷重が１００ｋｇｆ以上１５０ｋｇｆ未満である第２ダブルラッセル経編物からなる第２層と、ＪＩＳ−Ｋ６４００−２に準拠して測定した７５％圧縮時の最大荷重が１３０ｋｇｆ以上１８０ｋｇｆ以下である三次元ランダムループ構造体からなる第３層と、を備え、第１層、第２層及び第３層がこの順序で積層されている寝具用マットレスに存する。
【００１０】
本発明は、（２）第１ダブルラッセル経編物が、平面状の第１上基布と、平面状の第１下基布と、第１上基布及び第１下基布を連結する第１立毛部と、を備え、第２ダブルラッセル経編物が、平面状の第２上基布と、平面状の第２下基布と、第２上基布及び第２下基布を連結する第２立毛部と、を備え、第１上基布及び第１下基布の繊維の繊度が１１０〜３３０ｄｔｅｘであり、第１立毛部の繊維の繊度が２２０〜４４０ｄｔｅｘであり、第２上基布及び第２下基布の繊維の繊度が２２０〜４４０ｄｔｅｘであり、第２立毛部の繊維の繊度が７７０〜１３００ｄｔｅｘである上記（１）記載の寝具用マットレスに存する。
【００１１】
本発明は、（３）第１層の厚みが１．０〜３．０ｃｍであり、第２層の厚みが１．０〜３．０ｃｍであり、第３層の厚みが３．０〜２０．０ｃｍである上記（１）又は（２）に記載の寝具用マットレスに存する。
【００１２】
本発明は、（４）第１ダブルラッセル経編物の密度が０．０９〜０．１６ｇ／ｃｍ３であり、第２ダブルラッセル経編物の密度が０．０４〜０．０８ｇ／ｃｍ３であり、三次元ランダムループ構造体の密度が０．０４〜０．０６ｇ／ｃｍ３である上記（１）〜（３）のいずれか１つに記載の寝具用マットレスに存する。
【００１３】
本発明は、（５）第１ダブルラッセル経編物、第２ダブルラッセル経編物及び三次元ランダムループ構造体がいずれもポリエステルからなる上記（１）〜（４）のいずれか１つに記載の寝具用マットレスに存する。
【００１４】
本発明は、（６）第１層及び第２層、並びに、第２層及び第３層が、それぞれ接着剤で接着されている上記（１）〜（５）のいずれか１つに記載の寝具用マットレスに存する。
【００１５】
本発明は、（７）第１層及び第２層、並びに、第２層及び第３層の周縁が、それぞれ縫着されている上記（１）〜（６）のいずれか１つに記載の寝具用マットレスに存する。
【００１６】
本発明は、（８）第１層、第２層及び第３層を拘束するための簡易カバーを更に備える上記（１）〜（７）のいずれか１つに記載の寝具用マットレスに存する。
【００１７】
本発明は、（９）撥水加工及び／又は抗菌加工が施されている上記（１）〜（８）のいずれか１つに記載の寝具用マットレスに存する。
【発明の効果】
【００１８】
本発明の寝具用マットレスにおいては、第１層の第１ダブルラッセル経編物が、比較的小さい最大荷重であるので、風合いが良いことに加え、反発力が小さい。このため、寝具用マットレスの上面に横たわった人間を第１層において一定量沈み込ませることができる。
【００１９】
本発明の寝具用マットレスにおいては、第２層の第２ダブルラッセル経編物が、比較的大きい最大荷重であるので、第１層よりも反発力が大きい。このため、寝具用マットレスの上面に横たわった人間の重量を、第２層の硬い立毛部が撓むことで、横方向に逃がすことができる。これにより、横たわった人間の重量に対する応力を小さくすることができるので、寝心地が極めて優れるものとなる。
【００２０】
本発明の寝具用マットレスにおいては、第３層の三次元ランダムループ構造体が、比較的大きい最大荷重であるので、硬いだけでなく、高い反発力を発揮する。これに加え、三次元ランダムループ構造体は、三次元にランダムに設けられたループ構造体であるから、反発力に方向性を有しない。したがって、寝返りを妨げず、寝たきりの患者に対しても、床ずれや腰痛を予防することができる。
これらのことから、本発明の寝具用マットレスによれば、第１層、第２層及び第３層を備えることにより、寝心地が良いことに加え、寝返りを妨げず床ずれを抑制することができる。
【００２１】
また、寝具用マットレスにおいては、第１層及び第２層をダブルラッセル経編物とすることにより、横たわった人間が動いたとしても、きしみ音が発生することを抑制することができる。
さらに、寝具用マットレスにおいては、長年使用した際に、仮に、三次元ランダムループ構造体の一部が破損したとしても、第３層の上には、第１層及び第２層が積層されているので、ループの先端がマットレス表面に出てきて、使用者（横たわった人間）が怪我をするという事態を防止することもできる。
【００２２】
本発明の寝具用マットレスにおいては、第１上基布及び第１下基布の繊維の繊度が上記範囲内であると、風合いが優れ、しかも軽量でありながら破れ難くなり、第１立毛部の繊維の繊度が上記範囲内であると、反発力が十分に弱く、横たわった人間を十分に一定量沈み込ませることができる。
また、第２上基布及び第２下基布の繊維の繊度が上記範囲内であると、風合いが優れ、しかも軽量でありながら破れ難くなり、第２立毛部の繊維の繊度が上記範囲内であると、第２立毛部が撓むことで、横たわった人間の重量を横方向に逃がすことができる。
【００２３】
本発明の寝具用マットレスは、第１層及び第２層の厚みが上記範囲内である場合、横たわった人間が第１層に十分に沈み込むことができ、且つ第２層が横たわった人間の重量を十分に横方向に逃がすことができる。したがって、寝心地がより優れるものとなる。
また、第３層の厚みが上記範囲内である場合、人間の重量に関わらず、十分に高反発性を発揮でき、寝返りを妨げない。これにより、床ずれをより抑制できる。
【００２４】
本発明の寝具用マットレスは、第１ダブルラッセル経編物の密度、第２ダブルラッセル経編物の密度及び三次元ランダムループ構造体の密度が上記範囲内である場合、通気性及び通水性に優れるので、においや水分を通過又は分散させることができる。
【００２５】
本発明の寝具用マットレスは、第１ダブルラッセル経編物、第２ダブルラッセル経編物及び三次元ランダムループ構造体がいずれもポリエステルからなるので、容易にリサイクルすることができる。
【００２６】
本発明の寝具用マットレスは、第１層及び第２層、並びに、第２層及び第３層が、それぞれ接着剤で接着されているので、各層が個別にずれることを抑制できる。
また、寝具用マットレスを極めて容易に製造することが可能となる。
【００２７】
このとき、第１層及び第２層、並びに、第２層及び第３層の周縁が、それぞれ縫着されている場合、各層が個別にずれることをより抑制できる。
また、第１層、第２層及び第３層を拘束するための簡易カバーを更に備える場合、簡単に第１層、第２層及び第３層を拘束することができ、且つ各層が個別にずれることをより一層抑制できる。
【００２８】
本発明の寝具用マットレスは、撥水加工及び／又は抗菌加工が施されている場合、対応する撥水効果、抗菌効果を発揮することができる。
【図面の簡単な説明】
【００２９】
【図１】図１は、本実施形態に係る寝具用マットレスを示す部分断面図である。
【図２】図２は、本実施形態に係る寝具用マットレスが簡易カバーを備えた状態を示す斜視図である。
【発明を実施するための形態】
【００３０】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００３１】
図１は、本実施形態に係る寝具用マットレスを示す部分断面図である。
図１に示すように、本実施形態に係る寝具用マットレス１０は、第１ダブルラッセル経編物からなる第１層１と、第２ダブルラッセル経編物からなる第２層２と、三次元ランダムループ構造体からなる第３層３と、を備える。
【００３２】
具体的には、第１層１は、平面状の第１上基布１ａと、平面状の第１下基布１ｂと、第１上基布１ａ及び第１下基布１ｂを連結する第１立毛部１ｃと、を備える第１ダブルラッセル経編物からなり、第２層２は、平面状の第２上基布２ａと、平面状の第２下基布２ｂと、第２上基布２ａ及び第２下基布２ｂを連結する第２立毛部２ｃと、を備える第２ダブルラッセル経編物からなり、第３層３は、線材を不規則に充填した状態で固化された構造体（三次元ランダムループ構造体）からなる。
そして、第１層１、第２層２及び第３層３は、この順序で積層されている。
【００３３】
寝具用マットレス１０においては、上述したように、第１層１及び第２層２をダブルラッセル経編物とすることにより、横たわった人間が動いたとしても、きしみ音が発生することを極力抑制することができる。
また、長年使用した際に、仮に、三次元ランダムループ構造体の一部が破損したとしても、第３層３の上には、第１層１及び第２層２が積層されているので、ループの先端がマットレス表面に出てきて、使用者が怪我をするというような事態を防止できる。
【００３４】
寝具用マットレス１０においては、第１ダブルラッセル経編物の第１下基布１ｂと、第２ダブルラッセル経編物の第２上基布２ａとが全面で接着剤により接着されており、第２ダブルラッセル経編物の第２下基布２ｂと、三次元ランダムループ構造体の上面とが全面で接着剤により接着されている。すなわち、第１層１及び第２層２、並びに、第２層２及び第３層３が、それぞれ接着剤で接着されている。
このように、寝具用マットレス１０においては、第１層１、第２層２及び第３層３が一体となっているので、各層が個別にずれることを抑制できる。
また、各層を、接着剤を用いて接着するだけで、寝具用マットレス１０を簡単に製造することができる。
【００３５】
ここで、接着剤としては、特に限定されず、ポリエステル系、オレフィン系、ウレタン系、アクリル系、ポリアミド系、エポキシ系、ウレタン系等の接着剤が適宜用いられる。
これらの中でも、熱可塑性樹脂からなる接着剤であることが好ましい。この場合、加熱することにより、各層の着脱を繰り返し行うことができる。そうすると、例えば、痛んだ特定の層のみを取り替えることも可能となる。
また、後述するように、寝具用マットレス１０がポリエステルからなる場合、ポリエステル系の接着剤を用いることがより一層好ましい。この場合、全体がポリエステルからなるので、分離、分解等をする必要が無く、そのままリサイクルすることが可能となる。
【００３６】
寝具用マットレス１０においては、第１ダブルラッセル経編物の第１下基布１ｂと、第２ダブルラッセル経編物の第２上基布２ａとが互いの周縁の全部で縫着されており、第２ダブルラッセル経編物の第２下基布２ｂと、三次元ランダムループ構造体の上面とが互いの周縁の全部で縫着されている。すなわち、第１層１及び第２層２、並びに、第２層２及び第３層３が、上述した接着剤での接着に加え、それぞれ互いに縫着されている。このため、各層が個別にずれることがより抑制される。
【００３７】
寝具用マットレス１０において、第１ダブルラッセル経編物、第２ダブルラッセル経編物及び三次元ランダムループ構造体の素材としては、特に限定されないが、例えば、ポリエステル、ナイロン等が挙げられる。
これらの中でも、第１ダブルラッセル経編物、第２ダブルラッセル経編物及び三次元ランダムループ構造体がいずれも汎用性に優れるポリエステルからなることが好ましい。この場合、上述したように容易にリサイクルすることも可能となる。
【００３８】
寝具用マットレス１０は、ＪＩＳ−Ｋ６４００−２に準拠して測定した７５％圧縮時の全体の最大荷重が１２０ｋｇｆ以上１６０ｋｇｆ以下であることが好ましい。この場合、寝具用マットレスとして最適な硬さとすることができる。
【００３９】
本実施形態に係る寝具用マットレス１０によれば、上述したダブルラッセル経編物を用い、全体の最大荷重を一定の範囲とすることにより、寝心地が良いことに加え、寝返りを妨げず床ずれを抑制することができる。
以下、各層について詳述する。
【００４０】
寝具用マットレス１０において、第１層１は、ＪＩＳ−Ｋ６４００−２に準拠して測定した７５％圧縮時の最大荷重が７０ｋｇｆ以上１００ｋｇｆ未満であり、９０ｋｇｆ以上１００ｋｇｆ未満であることが好ましい。
第１層１の最大荷重が７０ｋｇｆ未満であっても、風合いの良さは向上せず、第１層１の最大荷重が１００ｋｇｆ以上であると、風合いが悪く、横たわった人間を一定量沈み込ませることができない。なお、最大荷重は大きくなる程、風合いは硬くなり、小さくなる程、風合いは柔らかくなる。また、一般に、寝具用マットレスにおいては、風合いの柔らかいものが、風合いが良いとされる。
【００４１】
第１層１は、厚みが１．０〜３．０ｃｍであることが好ましく、１．５〜２．０ｃｍであることがより好ましい。
第１層１の厚みが１．０ｃｍ未満であると、厚みが上記範囲内にある場合と比較して、横たわった人間を十分に沈み込ませることができない場合があり、第１層１の厚みが３．０ｃｍを超えると、厚みが上記範囲内にある場合と比較して、第２層において、横たわった人間の重量を横方向に十分に逃がすことができなくなる場合がある。
【００４２】
第１層１は、密度が０．０９〜０．１６ｇ／ｃｍ３であることが好ましく、０．１２〜０．１４ｇ／ｃｍ３であることがより好ましい。
第１層１の密度が０．０９ｇ／ｃｍ３未満であると、密度が上記範囲内にある場合と比較して、形態保持性が不十分となる場合があり、第１層１の密度が０．１６ｇ／ｃｍ３を超えると、密度が上記範囲内にある場合と比較して、硬くなるので、寝具用マットレス上面に横たわった場合、沈み込みが不十分となる場合がある。
【００４３】
第１層１において、第１上基布１ａ及び第１下基布１ｂの繊維の繊度が１１０〜３３０ｄｔｅｘであることが好ましい。
第１上基布１ａ及び第１下基布１ｂの繊維の繊度が１１０ｄｔｅｘ未満であると、繊度が上記範囲内にある場合と比較して、強度、耐久性が不十分となる場合があり、第１上基布１ａ及び第１下基布１ｂの繊維の繊度が３３０ｄｔｅｘを超えると、繊度が上記範囲内にある場合と比較して、重量が大きくなり、取り扱い難くなる傾向にある。
また、第１立毛部１ｃの繊維の繊度が２２０〜４４０ｄｔｅｘであることが好ましい。
第１立毛部１ｃの繊維の繊度が２２０ｄｔｅｘ未満であると、繊度が上記範囲内にある場合と比較して、柔らかくなり過ぎ、耐久性が不十分となる場合があり、第１立毛部１ｃの繊維の繊度が４４０ｄｔｅｘを超えると、繊度が上記範囲内にある場合と比較して、硬すぎて寝心地が悪くなる傾向にある。
【００４４】
寝具用マットレス１０において、第２層２は、ＪＩＳ−Ｋ６４００−２に準拠して測定した７５％圧縮時の最大荷重が１００ｋｇｆ以上１５０ｋｇｆ未満であり、１２０ｋｇｆ以上１４０ｋｇｆ未満であることが好ましい。
第２層２の最大荷重が１００ｋｇｆ未満であると、横たわった人間の重量を横方向に十分に逃がすことができない場合があり、第２層２の最大荷重が１５０ｋｇｆ以上であると、体圧の保持性、分散性が不十分となる場合がある。
【００４５】
第２層２は、厚みが１．０〜３．０ｃｍであることが好ましく、１．０〜１．５ｃｍであることがより好ましい。
第２層２の厚みが１．０ｃｍ未満であると、厚みが上記範囲内にある場合と比較して、横たわった人間の重量を横方向に逃がす効果を十分に発揮できない場合があり、第２層２の厚みが３．０ｃｍを超えると、厚みが上記範囲内にある場合と比較して、形態保持性が不十分となる場合がある。
【００４６】
第２層２は、密度が０．０４〜０．０８ｇ／ｃｍ３であることが好ましく、０．０６〜０．０６７ｇ／ｃｍ３であることがより好ましい。
第２層２の密度が０．０４ｇ／ｃｍ３未満であると、密度が上記範囲内にある場合と比較して、形態保持性が不十分となる場合があり、第２層２の密度が０．０８ｇ／ｃｍ３を超えると、密度が上記範囲内にある場合と比較して、第２立毛部２ｃが撓み難くなり、横たわった人間の重量を横方向に逃がす効果を十分に発揮できない場合がある。
【００４７】
第２層２において、第２上基布２ａ及び第２下基布２ｂの繊維の繊度が２２０〜４４０ｄｔｅｘであることが好ましい。
第２上基布２ａ及び第２下基布２ｂの繊維の繊度が２２０ｄｔｅｘ未満であると、繊度が上記範囲内にある場合と比較して、強度、耐久性が不十分となる場合があり、第２上基布２ａ及び第２下基布２ｂの繊維の繊度が４４０ｄｔｅｘを超えると、繊度が上記範囲内にある場合と比較して、重量が大きくなり、取り扱い難くなる傾向にある。
また、第２立毛部２ｃの繊維の繊度が７７０〜１３００ｄｔｅｘであることが好ましい。
第２立毛部２ｃの繊維の繊度が７７０ｄｔｅｘ未満であると、繊度が上記範囲内にある場合と比較して、柔らかくなり過ぎ、荷重を分散しにくくなる場合があり、第２立毛部２ｃの繊維の繊度が１３００ｄｔｅｘを超えると、繊度が上記範囲内にある場合と比較して、硬すぎて寝心地が悪くなる傾向にある。
【００４８】
第３層３は、ＪＩＳ−Ｋ６４００−２に準拠して測定した７５％圧縮時の最大荷重が１３０ｋｇｆ以上１８０ｋｇｆ以下であり、１４０ｋｇｆ以上１５０ｋｇｆ以下であることが好ましい。
第３層３の最大荷重が１３０ｋｇｆ未満であると、反発性が不十分となる欠点があり、第３層３の最大荷重が１８０ｋｇｆを超えると、体圧の保持性が不十分となる欠点がある。
【００４９】
第３層３は、厚みが３．０〜２０．０ｃｍであることが好ましく、３．０〜５．０ｃｍであることがより好ましい。
第３層３の厚みが３．０ｃｍ未満であると、厚みが上記範囲内にある場合と比較して、反発性が不十分となる場合があり、第３層３の厚みが２０．０ｃｍを超えても、反発性の効果は向上しない。
【００５０】
第３層３は、密度が０．０４〜０．０６ｇ／ｃｍ３であることが好ましく、０．０４８〜０．０５０ｇ／ｃｍ３であることがより好ましい。
第３層３の密度が０．０４ｇ／ｃｍ３未満であると、密度が上記範囲内にある場合と比較して、形態保持性が不十分となる場合があり、第３層３の密度が０．０６ｇ／ｃｍ３を超えると、密度が上記範囲内にある場合と比較して、においや水分を十分に通過又は分散させることができない場合がある。
【００５１】
本実施形態に係る寝具用マットレス１０は、撥水加工及び／又は抗菌加工が施されていてもよい。
例えば、第１層１、第２層２及び第３層３をそれぞれ接着させた後、全体に撥水剤及び／又は抗菌剤を付与してもよく、予め撥水加工及び／又は抗菌加工が練りこまれた繊維を用いて、第１層１、第２層２及び第３層３を形成し、それぞれ接着させてもよい。
【００５２】
寝具用マットレス１０は、ベッド用として、ベッドフレームの上に載せて用いてもよく、布団用として、床の上に直接置いて用いても良い。
【００５３】
以上、本発明の好適な実施形態について説明したが、本発明は上記実施形態に限定されるものではない。
【００５４】
例えば、本実施形態に係る寝具用マットレス１０においては、第１ダブルラッセル経編物の第１下基布１ｂと、第２ダブルラッセル経編物の第２上基布２ａとが接着されており、第２ダブルラッセル経編物の第２下基布２ｂと、三次元ランダムループ構造体の上面とが接着されているが、必ずしも接着する必要は無い。
また、これらは、全面で接着剤により接着されているが、部分的に接着剤で接着してもよい。
【００５５】
本実施形態に係る寝具用マットレス１０においては、第１ダブルラッセル経編物の第１下基布１ｂと、第２ダブルラッセル経編物の第２上基布２ａとが互いの周縁の全部で縫着されており、第２ダブルラッセル経編物の第２下基布２ｂと、三次元ランダムループ構造体の上面とが互いの周縁の全部で縫着されているが、必ずしも縫着する必要は無い。
また、これらは、周縁の全部を縫着しているが、部分的に縫着されていてもよい。
【００５６】
本実施形態に係る寝具用マットレス１０においては、第１層１、第２層２及び第３層３を拘束するための簡易カバー５を更に備えていてもよい。
図２は、本実施形態に係る寝具用マットレスが簡易カバーを備えた状態を示す斜視図である。
図２に示すように、簡易カバー５は、第１層１、第２層２及び第３層３を覆うように取り付けられる。これにより、第１層１、第２層２及び第３層３が拘束され、各層が個別にずれることをより一層抑制できる。
【００５７】
簡易カバー５は、中央に穴が設けられた環状となっている。このため、第１層１、第２層２及び第３層３に簡易カバー５を取り付けたとしても、第１層１、第２層２及び第３層３の通気性及び通水性を妨げない。
また、第１層１、第２層２及び第３層３への取り付けも容易となる。
【００５８】
ここで、寝具用マットレス１０において、各層のずれを防止するための手段としては、上述したように、接着剤による各層の接着、縫製による各層の縫着、簡易カバー５による各層の拘束、が挙げられるが、これらのうちの少なくとも２種類を施すことが好ましい。
特に、手間がかからないという観点から、接着剤による各層の接着と、簡易カバー５による各層の拘束とを行うことが好ましい。
【実施例】
【００５９】
以下、実施例及び参考例に基づいて本発明をより具体的に説明するが、本発明は以下の実施例に限定されるものではない。
【００６０】
（実施例１）
下記表１に示すような物性を有する第１層、第２層及び第３層を作製し、第１層、第２層及び第３層を積層し、寝具用マットレスを得た。
【００６１】
（表１）
0005602934.tif 000002
【００６２】
（比較例１）
市販の３次元ランダムループ構造のマットのみを用いた
【００６３】
（比較例２）
市販のウレタンマットを用いた。
【００６４】
（評価方法）
１０名のモニタに「違和感」、「沈み込み」、「むれ感」及び「圧迫感」について以下に示すような官能評価をしてもらった。そのうち、もっとも人数が多かった官能評価の結果を表２に示す。
１．違和感：寝たときの「背中に感じる違和感」の程度を感覚的に定性評価する。
◎    感じない
○    殆ど感じない
△    やや感じる
×    感じる
２．沈み込み：寝たときの体型保持状況の程度を感覚的に定性評価する。
◎    適度な沈み込みで非常に心地よい
○    沈み込み量がやや少ない、あるいはやや大きいので心地よい
△    沈み込み量がやや少ない、あるいはやや大きいので心地良さに欠ける
×    沈み込みすぎる、あるいは沈み込みが不足し心地よさがない
３．むれ感：２時間寝ていて、臀部、背中の寝具用マットレスに接する部分に感じる蒸れ感を感覚的に定性評価する。
◎    殆ど感じない
○    僅かに蒸れを感じる
△    やや蒸れを感じる
×    蒸れを著しく感じる
４．圧迫感：寝ていて動かないで、どの程度我慢できるか。
◎    ２時間以上
○    ２時間以内
△    １時間以内
×    ３０分以内
【００６５】
（表２）
0005602934.tif 000003
【００６６】
表２に示すように、官能評価においては、本発明による実施例１の寝具用マットレスは、「違和感」、「沈み込み」、「むれ感」及び「圧迫感」のいずれも優れるものであった。それに対し、本発明によらない比較例１〜２のマットレスは、「違和感」、「沈み込み」、「むれ感」及び「圧迫感」のいずれかが満足するものではなかった。
【００６７】
なお、実施例の耐久性について、試験を行ったところ、第１層の沈み込み部分と、第２層の体圧分散部分と、第３層の保持部分を積層しても、ひずみ率が５％以下に抑えることができ、十分な耐久性と、寝心地を両立することができることが確認された。
【産業上の利用可能性】
【００６８】
本発明の寝具用マットレスは、ベッド用又は布団用のマットレスとして、用いることができる。
本発明の寝具用マットレスによれば、寝心地が良いことに加え、きしみ音を抑制し、高反発性とすることで寝返りを妨げず、床ずれを抑制することができる。
【符号の説明】
【００６９】
１・・・第１層
１ａ・・・第１上基布
１ｂ・・・第１下基布
１ｃ・・・第１立毛部
２・・・第２層
２ａ・・・第２上基布
２ｂ・・・第２下基布
２ｃ・・・第２立毛部
３・・・第３層
１０・・・寝具用マットレス
【要約】
【課題】寝心地が良いことに加え、きしみ音を抑制し、高反発性とすることで寝返りを妨げず、床ずれを抑制できる寝具用マットレスを提供すること。
【解決手段】本発明は、ＪＩＳ−Ｋ６４００−２に準拠して測定した７５％圧縮時の最大荷重が７０ｋｇｆ以上１００ｋｇｆ未満である第１ダブルラッセル経編物からなる第１層１と、ＪＩＳ−Ｋ６４００−２に準拠して測定した７５％圧縮時の最大荷重が１００ｋｇｆ以上１５０ｋｇｆ未満である第２ダブルラッセル経編物からなる第２層２と、ＪＩＳ−Ｋ６４００−２に準拠して測定した７５％圧縮時の最大荷重が１３０ｋｇｆ以上１８０ｋｇｆ以下である三次元ランダムループ構造体からなる第３層３と、を備え、第１層１、第２層２及び第３層３がこの順序で積層されている寝具用マットレス１０である。
【選択図】図１【図１】
0005602934.tif 000004
【図２】
0005602934.tif 000005